(57)【要約】【課題】スクロール式流体機械の小型化を図り、冷却効果を高める。【解決手段】固定スクロール９の背面側に設けられた固定側冷却通路３２の固定流入口３３、および旋回スクロール１７の背面側に設けられた旋回側冷却通路３６の旋回流入口３７から流入した冷却風を固定流出口３４および旋回流出口３８から流出させ、この冷却風を、側面ダクト４１および案内ダクト４３を経由させてケーシング２の他端側外周囲に導いた後、遠心ファン３０の内周側に吸入し、ファンカバー４５に設けられた排出ポート４６から外部に排出する。【選択図】図３
2010203289.tif 000002
【特許請求の範囲】
【請求項１】
筒状に形成され軸方向両端が開口したケーシングと、
前記ケーシングの一端側の開口部に設けられ、前記ケーシングに向けて固定側ラップが延びた固定スクロールと、
前記ケーシング内に設けられ、前記固定スクロールの固定側ラップとの間に圧縮室を形成する旋回側ラップを有する旋回スクロールと、
一端が前記旋回スクロールと係合して前記旋回スクロールを旋回運動させると共に他端が前記ケーシングの他端側開口部から突出した回転軸と、
前記回転軸の他端側に設けられた吐出式の遠心ファンとから構成されたスクロール式流体機械において、
前記固定スクロールの背面側に設けられ、前記固定スクロールの径方向の一側に固定流入口を有し、径方向の他側に固定流出口を有する固定側冷却通路と、
前記旋回スクロールの背面側に設けられ、前記ケーシングの径方向の一側に旋回流入口を有し、径方向の他側に旋回流出口を有する旋回側冷却通路と、
一端が前記固定流出口および旋回流出口と連通し、他端が前記ケーシングの他端側外周囲を介して前記遠心ファンの内周側と連通する冷却風通路と、
前記遠心ファンを取り囲み、内周部に前記冷却風通路の他端が接続され、外周部に前記遠心ファンからの冷却媒体を排出する排出ポートを有するファンカバーとからなることを特徴とするスクロール式流体機械。
【請求項２】
前記固定流入口と旋回流入口とを同一の方向に向け、前記固定流出口と旋回流出口とを同一の方向に向けたことを特徴とする請求項１に記載のスクロール式流体機械。
【請求項３】
前記固定流入口と旋回流入口との双方に接続される共通の流入ダクトを備えたことを特徴とする請求項１または２に記載のスクロール式流体機械。
【請求項４】
前記流入ダクトは流路が非直線状に形成されたことを特徴とする請求項３に記載のスクロール式流体機械。
【請求項５】
前記冷却風通路は、前記ケーシングの他端側において前記ケーシングの全周囲に設けられていることを特徴とする請求項１に記載のスクロール式流体機械。
【請求項６】
前記冷却風通路は、前記ケーシングの他端側において前記ケーシングの一部周囲に設けられていることを特徴とする請求項１に記載のスクロール式流体機械。
【請求項７】
前記ファンカバーは前記排出ポートの向きを変更可能としたことを特徴とする請求項１に記載のスクロール式流体機械。
【請求項８】
前記ケーシングの一端側の外側面の一部を外部に露出させたことを特徴とする請求項１に記載のスクロール式流体機械。
【請求項９】
金属製で一端側が大径で他端側が小径となる筒状に形成され、軸方向両端が開口したケーシングと、
金属製で前記ケーシングの一端側の開口部に設けられ、前記ケーシングに向けて固定側ラップが延びた固定スクロールと、
金属製で前記ケーシング内に設けられ、前記固定スクロールの固定側ラップとの間に圧縮室を形成する旋回側ラップを有する旋回スクロールと、
一端が前記旋回スクロールと係合して前記旋回スクロールを旋回運動させると共に他端が前記ケーシングの他端側開口部から突出した回転軸と、
前記回転軸の他端側に設けられた吐出式の遠心ファンとから構成されたスクロール式流体機械において、
前記固定スクロールの背面側に設けられ、前記固定スクロールの径方向の一側に固定流入口を有し、径方向の他側に固定流出口を有する固定側冷却通路と、
前記旋回スクロールの背面側に設けられ、前記固定流入口と並ぶように前記ケーシングに設けられた旋回流入口を有し、前記固定流出口と並ぶように前記ケーシングに設けられた旋回流出口を有する旋回側冷却通路と、
一端が前記固定流出口および旋回流出口と連通し、他端が前記ケーシングの他端側外周囲を取り囲む樹脂製のダクトと、
前記遠心ファンを取り囲み、内周部に前記樹脂製ダクトの他端が接続され、外周部に前記遠心ファンからの冷却媒体を排出する排出ポートを有する樹脂製のファンカバーとからなることを特徴とするスクロール式流体機械。
【請求項１０】
前記樹脂製ダクトと前記ファンカバーとを一体化したことを特徴とする請求項９に記載のスクロール式流体機械。
【請求項１１】
金属製で一端側が大径で他端側が小径となる筒状に形成され、軸方向両端が開口したケーシングと、
前記ケーシングの側面に設けられ、前記ケーシングの中心軸が水平となるように支持する脚部と、
金属製で前記ケーシングの一端側の開口部に設けられ、前記ケーシングに向けて固定側ラップが延びた固定スクロールと、
金属製で前記ケーシング内に設けられ、前記固定スクロールの固定側ラップとの間に圧縮室を形成する旋回側ラップを有する旋回スクロールと、
一端が前記旋回スクロールと係合して前記旋回スクロールを旋回運動させると共に他端が前記ケーシングの他端側開口部から突出した回転軸と、
前記回転軸の他端側に設けられた吐出式の遠心ファンとから構成されたスクロール式流体機械において、
前記固定スクロールの背面側に設けられた固定側冷却フィンと、
前記固定側冷却フィンを取り囲み径方向両側に固定流入口と固定流出口とを形成する冷却フィンカバーと、
前記旋回スクロールの背面側に設けられた旋回側冷却フィンと、
前記ケーシングの側面に開口して設けられた旋回流入口と、
前記旋回流入口と対向する位置において前記ケーシングの側面に開口して設けられた旋回流出口と、
一端が前記固定流出口および旋回流出口と連通し、前記ケーシングの一側面を取り囲む側面ダクトと、
前記側面ダクトと連通し、前記ケーシングの他端側外周囲を取り囲む樹脂製のダクトと、
前記遠心ファンを取り囲み、内周部に前記樹脂製ダクトの他端が接続され、外周部に前記遠心ファンからの冷却媒体を排出する排出ポートを有する樹脂製のファンカバーとからなることを特徴とするスクロール式流体機械。
【発明の詳細な説明】
【技術分野】
【０００１】
本発明は、例えば圧縮機、真空ポンプ、膨張機等に用いることができるスクロール式流体機械に関する。
【背景技術】
【０００２】
従来技術によるスクロール式流体機械は、筒状のケーシングと、このケーシングの一端側に取り付けられた固定スクロールと、前記ケーシング内に設けられ、固定スクロールとの間に複数の圧縮室を形成する旋回スクロールと、一端側に形成されたクランクが前記ケーシング内において旋回スクロールに接続され、他端側が前記ケーシングの他端からケーシング外に突出する駆動軸と、前記ケーシング外において駆動軸の他端部に設けられた冷却ファンとを備えたスクロール式流体機械本体を有する。さらに、従来技術によるスクロール式流体機械は、このスクロール式流体機械本体の全体を取り囲む筒状の冷却ダクトを有する（特許文献１参照）。
【０００３】
この冷却ダクトの一側は固定スクロールの外周側およびケーシングの外周側を環状の空間を介して取り囲んでいる。そして、この冷却ダクトは、ケーシング他端の周囲でケーシング他端の外形に沿うように縮径した後、冷却ファンの外周側で再び拡径し、冷却ファンを環状の空間を介して取り囲んでいる。さらに、この冷却ダクトの一端には固定スクロールの中心部と対向する位置に流入口が形成されており、一方、冷却ダクトの他端側において冷却ファンの外周側に位置する部位には上向きに開口する流出口が形成されている。
【０００４】
このような構成を有する従来技術によるスクロール式流体機械において、電動モータにより駆動軸を回転させると、固定スクロールに対して旋回スクロールが旋回運動すると共に冷却ファンが回転し、冷却風が冷却ダクトの流入口から冷却ダクト内に吸い込まれる。そして、この冷却風は、冷却ダクト内に形成された、固定スクロールの外周側の空間、およびケーシングの外周側の空間を流通し、ケーシング他端周囲において冷却ダクトの縮径した部位により絞り込まれ、冷却ファンの内周側に送り込まれる。そして、冷却ファンの内周側に送り込まれた冷却風は、冷却ファンの外周側に形成された流出口から排出される。
【先行技術文献】
【特許文献】
【０００５】
【特許文献１】実開平５−７８９８８号公報
【発明の概要】
【発明が解決しようとする課題】
【０００６】
上記従来技術によるスクロール式流体機械は、スクロール式流体機械本体の全体を冷却ダクトで取り囲む構成であるため、スクロール式流体機械が大型化してしまうという問題がある。
【０００７】
本発明は例えば上述したような問題に鑑みなされたものであり、本発明の目的は、小型化可能で冷却効果の高いスクロール式流体機械を提供することにある。
【課題を解決するための手段】
【０００８】
本発明のスクロール式流体機械は、固定スクロールの背面側に設けられ、固定スクロールの径方向の一側に固定流入口を有すると共に径方向の他側に固定流出口を有する固定側冷却通路と、旋回スクロールの背面側に設けられ、ケーシングの径方向の一側に旋回流入口を有すると共に径方向の他側に旋回流出口を有する旋回側冷却通路と、一端が固定流出口および旋回流出口と連通し、他端がケーシングの他端側外周囲を介して遠心ファンの内周側と連通する冷却風通路と、遠心ファンを取り囲み、内周部に冷却風通路の他端が接続され、外周部に遠心ファンからの冷却媒体を排出する排出ポートを有するファンカバーとを備えている。
【発明の効果】
【０００９】
本発明によれば、スクロール式流体機械を、冷却効果を高めつつ小型化可能とすることができる。
【図面の簡単な説明】
【００１０】
【図１】本発明の第１の実施形態によるスクロール式空気圧縮機を示す斜視図である。
【図２】図１中の矢示II−II方向からみたスクロール式空気圧縮機の縦断面図である。
【図３】図１中の矢示III−III方向からみたスクロール式空気圧縮機の縦断面図である。
【図４】図２中の矢示IV−IV方向からみたスクロール式空気圧縮機の正面図である。
【図５】図３中の矢示V−V方向からみたスクロール式空気圧縮機の横断面図である。
【図６】スクロール式空気圧縮機を案内ダクトおよびファンカバーを分解した状態で示す斜視図である。
【図７】ケーシングと案内ダクトとの取付機構を拡大して示す縦断面図である。
【図８】排出ポートが上向きになるようにファンカバーを取り付けた本発明の第１の実施形態によるスクロール式空気圧縮機を示す斜視図である。
【図９】本発明の第２の実施形態によるスクロール式空気圧縮機を案内ダクトおよびファンカバーを分解した状態で示す斜視図である。
【図１０】図９中のファンカバーの取付板部を矢示X−X方向からみた平面図である。
【図１１】本発明の第３の実施形態によるスクロール式空気圧縮機を示す斜視図である。
【図１２】本発明の第４の実施形態によるスクロール式空気圧縮機を図５と同じ位置からみた横断面図である。
【図１３】本発明の第５の実施形態によるスクロール式空気圧縮機を示す縦断面図である。
【図１４】本発明の第６の実施形態によるスクロール式空気圧縮機を示す斜視図である。
【発明を実施するための形態】
【００１１】
以下、本発明の実施の形態によるスクロール式流体機械として無給油式のスクロール式空気圧縮機を例に挙げ、添付図面を参照して詳細に説明する。
【００１２】
［第１実施形態］
まず、本発明の第１の実施形態によるスクロール式空気圧縮機を図１ないし図８を参照して説明する。
【００１３】
図１において、１は本発明の第１の実施形態によるスクロール式空気圧縮機であり、該スクロール式空気圧縮機１は、後述する筒状のケーシング２の中心軸が水平となるように設置される。
【００１４】
２はスクロール式空気圧縮機１の外枠を形成する筒状のケーシングで、該ケーシング２は金属製であり、例えば、鋳鉄、アルミニウム等の金属材料により形成されている。該ケーシング２は、図２に示すように、軸方向一端が開口部３Ａとなった大径筒部３と、該大径筒部３よりも小径に形成され、軸方向他端が開口部４Ａとなった軸受筒部４と、該軸受筒部４と大径筒部３との間に形成された段部５とにより構成されている。また、段部５には、後述する補助クランク機構２８の軸受２８Ａを収容する軸受収容部６が例えば３個設けられており、これら軸受収容部６は、周方向において互いに等間隔に離間して配置されている。
【００１５】
なお、本発明において筒状ケーシングとは、両端に開口部が設けられていれば、円筒でも、角形の筒状でも、その他の形状であってもよい。
【００１６】
また、ケーシング２の軸方向一端側の外側面の一部、具体的には、図１に示すように、大径筒部３の外側面のうちの少なくとも上側に位置する部位３Ｂは、後述する側面ダクト４１、案内ダクト４３等により取り囲まれておらず、外部に露出している。
【００１７】
また、図２において、７はケーシング２の中心軸が水平となるように当該スクロール式空気圧縮機１を支持する脚部であり、該脚部７は大径筒部３の外側面のうち下側に位置する部位に設けられている。このように、脚部７が案内ダクト４３等の樹脂材に取り付けられるものでなく、金属製のケーシング２と一体に形成されたものであるので、剛性の高い構造とすることができる。
【００１８】
また、図３において、８は案内ダクト４３をケーシング２に固定するためのダクト固定部を示し、該ダクト固定部８は、段部５の軸方向他側面の外周側に周方向において互いに離間して例えば３個設けられている。そして、各ダクト固定部８は、円柱状に形成され、段部５の他側面から軸方向に延び、その先端部にはボルト４４を用いて案内ダクト４３を固定するためのねじ穴８Ａが形成されている。
【００１９】
さらに、ケーシング２の大径筒部３の左右方向（径方向）一側には後述する旋回側冷却通路３６の入口となる旋回流入口３７が形成され、左右方向他側には旋回側冷却通路３６の出口となる旋回流出口３８が形成されている。
【００２０】
また、図２において、９はケーシング２の大径筒部３の開口部３Ａに設けられた固定スクロールで、該固定スクロール９は、開口部３Ａを軸方向一側から閉塞するように該開口部３Ａに固定されている。そして、固定スクロール９は金属製であり、例えば鋳鉄、アルミニウム等の金属材料により形成されている。また、固定スクロール９は、円板状の板体９Ａと、該板体９Ａの表面に立設され、ケーシング２に向けて軸方向に延びる渦巻状の固定側ラップ９Ｂとから大略構成されている。また、固定側ラップ９Ｂの歯先には、旋回スクロール１７の板体１７Ａとの間をシールするチップシール１０が設けられている。
【００２１】
１１，１１は固定スクロール９の外周側の上部および下部にそれぞれ設けられた２個の吸込口で、該各吸込口１１は、後述するように固定スクロール９と旋回スクロール１７との間に形成された複数の圧縮室２３のうち最外周側に位置する圧縮室２３と連通している。そして、吸込口１１，１１は、吸込フィルタ１２，１２を通じて最外周側に位置する圧縮室２３に、当該スクロール式空気圧縮機１により圧縮すべき空気を流入させる。
【００２２】
１３は固定スクロール９の板体９Ａの中心側に設けられた吐出口で、該吐出口１３は、後述する複数の圧縮室２３のうち中心側に位置する圧縮室２３に連通している。そして、吐出口１３は、この圧縮室２３内の圧縮空気を吐出パイプ１４を介して例えば空気タンク等（図示せず）に吐出する。
【００２３】
１５，１５，…は固定スクロール９の背面側に設けられた複数本の固定側冷却フィンで、これら固定側冷却フィン１５は、図２に示すように、板体９Ａの背面上にそれぞれ所定の間隔をもって立設され、図４に示すように、固定スクロール９の径方向（左右方向）一端側から他端側に向けて互いに平行に直線状に延びている。これにより、冷却風の流れを妨げない構成となっている。
【００２４】
１６は固定スクロール９の背面側に取り付けられた冷却フィンカバーで、該冷却フィンカバー１６は、図４に示すように、固定側冷却フィン１５の全体を取り囲むことにより、固定スクロール９の背面との間に後述する固定側冷却通路３２を形成している。さらに、冷却フィンカバー１６の左右方向（径方向）一側には固定側冷却通路３２の入口となる後述する固定流入口３３が形成され、左右方向他側には固定側冷却通路３２の出口となる後述する固定流出口３４が形成されている。また、冷却フィンカバー１６の中心側には吐出パイプ１４を挿通する穴１６Ａが形成されている。
【００２５】
なお、冷却フィンカバー１６は、複数の固定側冷却フィン１５のうちの外側の固定側冷却フィン１５を外部に露出させた構造とする場合は、平板状とすることもできる。
【００２６】
また、図２において、１７はケーシング２内に設けられた旋回スクロールで、該旋回スクロール１７は金属製であり、例えば鋳鉄、アルミニウム等の金属材料により形成されている。そして、該旋回スクロール１７は、固定スクロール９の板体９Ａと対向して配置された円板状の板体１７Ａと、該板体１７Ａの表面に立設された渦巻状の旋回側ラップ１７Ｂとから大略構成されている。また、旋回側ラップ１７Ｂの歯先には、固定スクロール９の板体９との間をシールするチップシール１８が設けられている。
【００２７】
１９，１９，…は旋回スクロール１７の背面側に設けられた複数本の旋回側冷却フィンで、これら旋回側冷却フィン１９は、板体１７Ａの背面上にそれぞれ所定の間隔をもって立設され、旋回スクロール１７の径方向（左右方向）一端側から他端側に向けて互いに平行に直線状に延びている。
【００２８】
このように、旋回側冷却フィン１９の向きと固定側冷却フィン１５の向きを同方向としたので、同一方向の冷却風の流れで効率的に冷却可能である。
【００２９】
２０は複数本の旋回側冷却フィン１９の先端側に位置し、旋回スクロール１７に固定された背面プレートであり、該背面プレート２０は、旋回スクロール１７の背面との間に後述する旋回側冷却通路３６を形成している。また、背面プレート２０の中央側には、後述する回転軸２４のクランク２４Ａと回転可能に連結される筒状のボス部２１が一体形成されている。さらに、背面プレート２０の外周側には、後述する補助クランク機構２８の軸受２８Ｂを収容する軸受収容部２２が例えば３個設けられており、これら軸受収容部２２は、ケーシング２の段部５に設けられた３個の軸受収容部６とそれぞれ対応する位置に配置されている。
【００３０】
２３，２３，…は、固定スクロール９の固定側ラップ９Ｂと旋回スクロール１７の旋回側ラップ１７Ｂとの間に形成された複数の圧縮室であり、これら圧縮室２３は、旋回スクロール１７が旋回運動するときに、ラップ９Ｂ，１７Ｂの外周側から中心側に向けて移動しながら連続的に縮小される。これにより、各圧縮室２３のうち最外周側の圧縮室２３には、吸込口１１から空気が吸い込まれ、この空気が中心側の圧縮室２３に達するまでに圧縮される。そして、この圧縮空気は吐出口１３から吐出パイプ１４を介して外部の空気タンク（図示せず）等に向けて吐出される。
【００３１】
２４はケーシング２の軸受筒部４に軸受２５，２６を介して回転可能に設けられた回転軸で、該回転軸２４は、モータ（図示せず）によって駆動されることにより回転し、旋回スクロール１７を旋回動作させると共に、後述の遠心ファン３０を回転させるものである。具体的には、回転軸２４の一端側には、回転軸２４の軸線に対して一定の寸法だけ径方向に偏心したクランク２４Ａが設けられ、このクランク２４Ａが旋回スクロール１７の背面プレート２０に設けられたボス部２１に旋回軸受２７を介して回転可能に連結（係合）されている。また、回転軸２４の他端側は、ケーシング２の軸受筒部４の開口部４Ａからケーシング２の外部に突出している。
【００３２】
２８は背面プレート２０とケーシング２の段部５との間に設けられた補助クランク機構で、該補助クランク機構２８は、段部５に設けられた軸受収容部６に収容された軸受２８Ａと、背面プレート２０に設けられた軸受収容部２２に収容された軸受２８Ｂと、これらの軸受２８Ａ，２８Ｂに回転可能に取付けられた補助クランク２８Ｃとによって構成されている。該補助クランク機構２８は例えば３個設けられており、周方向において互いに等間隔に離間して配置されている。そして、これらの補助クランク機構２８は、旋回運動時に旋回スクロール１７がケーシング２内で自転するのを防止している。
【００３３】
２９は回転軸２４の他端に固定され、回転軸２４と一体となって回転可能なプーリで、該プーリ２９はベルト（図示せず）を介してモータの出力軸に連結されており、モータの出力軸の回転を回転軸２４に伝達するものである。
【００３４】
３０は回転軸２４の他端側に設けられた吐出式の遠心ファンで、該遠心ファン３０は、円板状の底板部３０Ａと、該底板部３０Ａの外周側から一側に向けて軸方向に延びる筒状に配設された多数枚の羽根部３０Ｂ，３０Ｂとを有する所謂シロッコファンであり、底板部３０Ａの中央部に形成された挿通穴３０Ｃには回転軸２４の他端側が挿通されている。そして、遠心ファン３０は、ねじ３１，３１を用いてプーリ２９に固定され、プーリ２９および回転軸２４と一緒に回転し、図３中の矢印ＡないしＨに示すような冷却風の流れを作り出す。なお、遠心ファン３０は、シロッコファンに限ることなく、ターボファンであってもよい。
【００３５】
一方、図３において、３２は固定スクロール９の背面側に設けられた固定側冷却通路で、該固定側冷却通路３２は、固定スクロール９の径方向の一側に位置する固定流入口３３と、固定スクロール９の径方向の他側に位置する固定流出口３４と、固定流入口３３と固定流出口３４との間を接続する流路３５とにより構成されている。
【００３６】
具体的には、固定流入口３３は冷却フィンカバー１６の左右方向一側に形成され、固定流出口３４は冷却フィンカバー１６の左右方向他側に形成されている。そして、固定流入口３３と固定流出口３４との間を接続する流路３５は、図３に示すように、冷却フィンカバー１６と固定スクロール９の背面との間に設けられた複数本の固定側冷却フィン１５の間に形成されている。
【００３７】
他方、図３において、３６は旋回スクロール１７の背面側に設けられた旋回側冷却通路で、該旋回側冷却通路３６は、旋回スクロール１７の径方向の一側に位置する旋回流入口３７と、旋回スクロール１７の径方向の他側に位置する旋回流出口３８と、旋回流入口３７と旋回流出口３８との間を接続する流路３９とにより構成されている。
【００３８】
具体的には、旋回流入口３７は、ケーシング２の大径筒部３の左右方向一側に形成されている。そして、旋回流入口３７は、固定流入口３３と並ぶように互いに隣接して配置されており、旋回流入口３７と固定流入口３３とは同一の方向に向いてそれぞれ開口している。また、旋回流出口３８は、ケーシング２の大径筒部３の左右方向他側において旋回流入口３７と対向する位置に形成されている。そして、旋回流出口３８は、固定流出口３４と並ぶように互いに隣接して配置されており、旋回流出口３８と固定流出口３４とは同一の方向に向いてそれぞれ開口している。また、旋回流入口３７と旋回流出口３８との間を接続する流路３９は、図３に示すように、旋回スクロール１７と背面プレート２０との間に設けられた複数本の旋回側冷却フィン１９の間に形成されている。
【００３９】
さらに、図１または図３において、４０は一端が固定流出口３４および旋回流出口３８と連通し、他端がケーシング２の他端側外周囲を介して遠心ファン３０の内周側と連通する冷却風通路としての冷却ダクトであり、該冷却ダクト４０は、後述する側面ダクト４１と案内ダクト４３とにより構成されている。
【００４０】
即ち、４１は一端が固定流出口３４および旋回流出口３８と連通し、ケーシング２の大径筒部３の一側面を取り囲む側面ダクトで、該側面ダクト４１は樹脂製であり、例えばポリプロピレン（ＰＰ）、ＡＢＳ樹脂、ナイロン、ポリブチレンテレフタレート（ＰＢＴ）等の樹脂材料により形成されている。具体的には、側面ダクト４１は、図１に示すように、ケーシング２の大径筒部３の左右方向他側に位置する側面にボルト４２，４２を用いて取り付けられている。そして、側面ダクト４１は、図３に示すように、固定流出口３４および旋回流出口３８の双方の側方を全体的に覆っているものの、軸方向他側において開口し、案内ダクト４３と連通している。これにより、矢示Ａ，Ｂに示すように固定流入口３３および旋回流入口３７から流入した冷却風は、固定流出口３４および旋回流出口３８から左右方向他側に向かって流出した後、矢示Ｃ，Ｄに示すように、軸方向他側に向くようにその向きを９０度曲げられ、後述の案内ダクト４３に導かれる。
【００４１】
４３は側面ダクト４１と連通し、ケーシング２他端側の軸受筒部４の外周囲を取り囲む案内ダクトで、該案内ダクト４３は樹脂製であり、例えばポリプロピレン（ＰＰ）、ＡＢＳ樹脂、ナイロン、ポリブチレンテレフタレート（ＰＢＴ）等の樹脂材料により形成されている。具体的には、案内ダクト４３は筒状に形成され、図５に示すように、ケーシング２の軸受筒部４の全周囲を取り囲み、軸受筒部４の外周面との間に、閉塞された環状の空間を形成している。
【００４２】
また、図３、図５に示すように、案内ダクト４３の左右方向他側に位置する周壁部４３Ａが左右方向外向きに突き出し、該周壁部４３Ａを介して、側面ダクト４１内と案内ダクト４３内の前記環状の空間とが連通している。これにより、固定流出口３４および旋回流出口３８から側面ダクト４１を介して流れる冷却風は、周壁部４３Ａを経由して案内ダクト４３内の前記環状の空間に導かれる。
【００４３】
また、案内ダクト４３の軸方向他端側には底部４３Ｂが形成され、該底部４３Ｂの内周側が開口部４３Ｃとなっている。そして、該開口部４３Ｃを介して、案内ダクト４３内の前記環状の空間と後述するファンカバー４５内とが連通している。
【００４４】
さらに、開口部４３Ｃの縁には、軸方向他側に伸びるに連れて径寸法が漸次縮小する筒状の案内部４３Ｄが形成され、該案内部４３Ｄの先端が遠心ファン３０の内周側に達している。ここで、案内部４３Ｄにより、案内ダクト４３の内面がケーシング２の軸受筒部４の外周面に漸次接近し、案内ダクト４３内の前記環状の空間が遠心ファン３０の内周側に向かうに連れて漸次縮小する。これにより、案内ダクト４３内に導かれた冷却風は、矢印Ｆ，Ｇに示すように、案内部４３Ｄによってケーシング２の軸受筒部４の外周面近傍に集められつつ、遠心ファン３０の内周側に円滑に吸い込まれる。
【００４５】
また、案内ダクト４３の底部４３Ｂには、図６に示すように、例えば３個のボルト挿通穴４３Ｅ，４３Ｅ，…が形成されている。これらボルト挿通穴４３Ｅは、ケーシング２に設けられたダクト固定部８の先端部に形成されたねじ穴８Ａと対応するように、周方向において互いに離間して配置されている。そして、案内ダクト４３をケーシング２に取り付けるときには、図７に示すように、ボルト挿通穴４３Ｅを介してボルト４４をダクト固定部８のねじ穴８Ａに締着することにより、案内ダクト４３をケーシング２に固定する。なお、図６は本発明の要部である案内ダクト４３およびファンカバー４５のみを便宜的に分解して示した図であり、実際に組み付けた状態では、遠心ファン３０は、後述の取付板部４７とカバー部４８との間に配置される。
【００４６】
さらに、案内ダクト４３の底部４３Ｂには、図６に示すように、例えば３個のねじ穴４３Ｆ，４３Ｆ，…が形成されている。これらねじ穴４３Ｆは、周方向に等間隔に例えば１２０度おきに配置されている。また、第１の実施形態においては、これらねじ穴４３Ｆは、ボルト挿通穴４３Ｅと同一円周上に配置されている。
【００４７】
また、図１、図３または図６において、４５はファンカバーを示し、該ファンカバー４５は、遠心ファン３０を取り囲み、内周部に冷却ダクト４０（案内ダクト４３）の他端が接続され、外周部に遠心ファン３０からの冷却風を排出する排出ポート４６を有している。そして、このファンカバー４５は、樹脂製であり、例えばポリプロピレン（ＰＰ）、ＡＢＳ樹脂、ナイロン、ポリブチレンテレフタレート（ＰＢＴ）等の樹脂材料により形成されている。具体的には、ファンカバー４５は、それぞれ有底略筒状に形成された取付板部４７とカバー部４８とを、両者の開口部を互いに向かい合わせるようにして結合することにより中空円柱状の箱体として形成され、その内部に遠心ファン３０を収容している。そして、取付板部４７の中央側に形成された吸入口４７Ａには、ケーシング２の軸受筒部４の他端側、回転軸２４の他端側および案内ダクト４３の案内部４３Ｄが挿入されている。また、カバー部４８の中央側に形成された挿通穴４８Ａには、回転軸２４の他端部およびプーリ２９が挿入されている。
【００４８】
また、ファンカバー４５の左右方向他側に位置する部位は、左右方向外向きに突き出し、その先端部には排出ポート４６が形成されている。これにより、案内ダクト４３の案内部４３Ｄを介して遠心ファン３０の内周側に吸い込まれた冷却風は、図３中の矢示Ｈに示すように、排出ポート４６から外部に排出される。
【００４９】
さらに、ファンカバー４５の取付板部４７には、図６に示すように、例えば１２個のボルト挿通穴４９，４９，…が形成されている。これらボルト挿通穴４９は、吸入口４７Ａを取り囲むように周方向に等間隔に、例えば３０度おきに配置されている。これら１２個のボルト挿通穴４９のうち、１２０度おきに配置された３個のボルト挿通穴４９は、案内ダクト４３の底部４３Ｂに形成された３個のねじ穴４３Ｆとそれぞれ対応する。そして、取付板部４７を案内ダクト４３に取り付けるときには、１２個のボルト挿通穴４９のうち１２０度おきに配置された３個のボルト挿通穴４９を任意に選択し、これら選択したボルト挿通穴４９を介してボルト５０，５０，…を案内ダクト４３のねじ穴４３Ｆに締着することにより、ファンカバー４５を案内ダクト４３に固定する。１２個のボルト挿通穴４９のうち１２０度おきに配置された３個のボルト挿通穴４９をどのように選択するかにより、ファンカバー４５の案内ダクト４３に対する取付角度を３０度ごとに変更することが可能である。これにより、排出ポート４６の向きを３０度ごとに変更することが可能である。例えば、図１に示すように排出ポート４６の向きを横向きにすることも、図８に示すように排出ポート４６の向きを斜め上向きにすることもできる。
【００５０】
第１の実施形態によるスクロール式空気圧縮機１は以上のような構成を有するものであり、次にその空気圧縮動作を説明する。
【００５１】
即ち、スクロール式空気圧縮機１において、モータを駆動し、回転軸２４を回転させ、旋回スクロール１７を旋回運動させることにより、各吸込口１１から空気を吸い込み、この空気を各圧縮室２３内において圧縮する。そして、高圧に圧縮した圧縮空気を吐出口１３から空気タンク等に向けて吐出する。
【００５２】
次に、第１の実施形態によるスクロール式空気圧縮機１の冷却動作について説明する。
【００５３】
即ち、上述したようなスクロール式空気圧縮機１の空気圧縮動作時において、回転軸２４と一緒に遠心ファン３０が回転し、これにより、冷却風が図３中の矢印ＡないしＨに示すように流れる。具体的には、矢印Ａに示すように、外気が固定流入口３３から固定スクロール９の背面側に位置する流路３５に流入する。これにより、この外気が冷却風となって各固定側冷却フィン１５間を流れ、各固定側冷却フィン１５から熱を奪い、固定スクロール９を冷却する。これと同時に、矢印Ｂに示すように、外気が旋回流入口３７から旋回スクロール１７の背面側に位置する流路３９に流入する。これにより、この外気が冷却風となって各旋回側冷却フィン１９間を流れ、各旋回側冷却フィン１９から熱を奪い、旋回スクロール１７を冷却する。
【００５４】
このように固定スクロール９および旋回スクロール１７を冷却した冷却風は固定流出口３４および旋回流出口３８から流出する。このとき、固定流出口３４および旋回流出口３８から流出した冷却風温度は、固定スクロール９および旋回スクロール１７の熱により、外気に比べて上昇している。
【００５５】
そして、固定流出口３４および旋回流出口３８から流出した冷却風は、矢示Ｃ，Ｄに示すように、側面ダクト４１により向きを９０度変えられつつ合流し、矢示Ｅに示すように、案内ダクト４３内に導かれる。
【００５６】
続いて、案内ダクト４３内に流入した冷却風は、ケーシング２の軸受筒部４の外周面に吹きつけられることにより、軸受筒部４の温度を調整する。また、案内ダクト４３内に流入した冷却風は、ケーシング２の段部５に形成された各軸受収容部６の背面にも当たるため、各補助クランク機構２８に対する温度調整効果も発揮される。即ち、上述したように、固定流出口３４および旋回流出口３８から流出した冷却風の温度は外気に比べて上昇している。この温度が上昇した冷却風が側面ダクト４１および案内ダクト４３によりケーシング２の軸受筒部４の外周囲に案内され、軸受筒部４の外周面および各軸受収容部６の背面に吹きつけられることにより、軸受筒部４および各軸受収容部６の温度が旋回スクロール１７の温度とほぼ均一になるように調整される。
【００５７】
さらに、冷却風は、案内ダクト４３内において矢示Ｆ，Ｇに示すように、案内部４３Ｄの内周面と軸受筒部４との間に形成された環状の空間を通って遠心ファン３０の内周側に導かれる。そして、この冷却風は、矢示Ｈに示すように、遠心ファン３０の回転により排出ポート４６から外部に排出される。
【００５８】
以上説明した通り、第１の実施形態によるスクロール式空気圧縮機１は、固定スクロール９の背面側に設けられた固定側冷却通路３２の流路３５を通って固定流出口３４から流出した冷却風と、旋回スクロール１７の背面側に設けられた旋回側冷却通路３６の流路３９を通って旋回流出口３８から流出した冷却風とを、側面ダクト４１および案内ダクト４３によりケーシング２の他端側外周囲を介して遠心ファン３０の内周側に導き、この冷却風を、遠心ファン３０により、ファンカバー４５に設けられた排出ポート４６から外部に排出する構成を有する。この構成により、スクロール式空気圧縮機１の冷却効果を高めることができる。
【００５９】
即ち、外気を固定流入口３３から直接吸入し、これを冷却風として固定スクロール９の背面側に流し込むことにより、冷却風の送風抵抗を軽減することができ、冷却風量を増大させることができる。また、他の部材の冷却に用いられた後の高温の空気ではなく、初めて冷却に用いられる低温の外気により固定スクロール９を冷却することができる。したがって、固定スクロール９の冷却効果を高めることができる。これと同様に、外気を旋回流入口３７から直接吸入し、これを冷却風として旋回スクロール１７の背面側に流し込むことができるので、旋回スクロール１７の冷却効果を高めることができる。
【００６０】
一方、固定流出口３４および旋回流出口３８から流出した冷却風を側面ダクト４１および案内ダクト４３によりケーシング２の他端側外周囲を介して遠心ファン３０の内周側に向けて流通させることにより、旋回スクロール１７とケーシング２の他端側（軸受筒部４）との温度差を小さくすることができ、補助クランク２８Ｃのピッチ差による軸受２８Ａ，２８Ｂの破損等を回避することができる。即ち、固定スクロール９および旋回スクロール１７からの熱により外気と比して温度が上昇した冷却風を、ケーシング２の他端側の外周面等に吹き付けることにより、ケーシング２の他端側の温度と旋回スクロール１７の温度との均一化を図ることができ、ケーシング２と旋回スクロール１７との間に装着された補助クランク２８Ｃの軸方向両側における温度差を小さくすることができる。これにより、補助クランク２８Ｃの温度差による変形を軽減することができ、補助クランク２８Ｃのピッチ差による軸受２８Ａ，２８Ｂの破損等を回避することができる。
【００６１】
特に、第１の実施形態によるスクロール式空気圧縮機１では、案内ダクト４３がケーシング２の他端側（軸受筒部４）の全周囲に設けられているので、固定流出口３４および旋回流出口３８から流出した冷却風をケーシング２の他端側外周面の全周に当てることができる。これにより、ケーシング２の他端側全周の温度と旋回スクロール１７の温度との均一化を図り、補助クランク２８Ｃのピッチ差による軸受２８Ａ，２８Ｂの破損等を効果的に回避することができる。
【００６２】
他方、スクロール式空気圧縮機１によれば、当該スクロール式空気圧縮機１を、特許文献１に記載された従来技術によるスクロール式流体機械と比較して小型化することができる。即ち、特許文献１に記載された従来技術によるスクロール式流体機械は冷却風を固定スクロールの外周側の空間、およびケーシングの外周側の空間を流通させるために、スクロール式流体機械本体全体を取り囲むような大型の冷却ダクトを採用している。しかしながら、本発明の第１の実施形態によるスクロール式空気圧縮機１によれば、冷却風を、固定スクロール９の背面側に設けられた固定側冷却通路３２と、ケーシング２内に配置された旋回スクロール１７の背面側に設けられた旋回側冷却通路３６とを通した後、ケーシング２の他端側外周囲を介して遠心ファン３０の内周側に導く構成であるから、スクロール式空気圧縮機１全体を取り囲むような大型の冷却ダクトは不要であり、それゆえ、スクロール式空気圧縮機１の小型化を図ることができる。
【００６３】
特に、スクロール式空気圧縮機１では、ケーシング２の軸方向一端側の外側面の一部、具体的には、ケーシング２の大径筒部３の外側面のうちの少なくとも上側に位置する部位３Ｂを外部に露出させる構成を有する（図１参照）。即ち、第１の実施形態によるスクロール式空気圧縮機１は、ケーシングの上下左右のすべてが冷却ダクトで包囲されている従来技術によるスクロール式流体機械とは異なり、ケーシング２の一部が外部に露出しているので、小型のスクロール式空気圧縮機１を実現することができる。
【００６４】
また、第１の実施形態によるスクロール式空気圧縮機１は、固定流入口３３を旋回流入口３７と相互に並ぶように配置して固定流入口３３と旋回流入口３７とを同一の方向に向けると共に、固定流出口３４を旋回流出口３８と相互に並ぶように配置し、固定流出口３４と旋回流出口３８とを同一の方向に向ける構成を有する。これにより、固定スクロール９背面側の固定側冷却通路３２を流れる冷却風量と旋回スクロール１７背面側の旋回側冷却通路３６を流れる冷却風量との間に偏りが生じるのを抑えることができ、固定スクロール９と旋回スクロール１７との双方をバランスよく、確実に冷却することができる。
【００６５】
また、第１の実施形態によるスクロール式空気圧縮機１では、ファンカバー４５の取付角度を変更して排出ポート４６の向きを変更することができる（図１および図８参照）。これにより、冷却風の排出方向を自由に設定することができ、防音構造とするためのパッケージ（防音箱）にスクロール式空気圧縮機１を組み込む際の配置の自由度を高めることができる。特に、第１の実施形態によれば、排出ポート４６の向きを３６０度に亘って変更することができ、排出ポート４６の方向を上，下，左，右のいずれの方向にも設定することができる。
【００６６】
また、第１の実施形態によるスクロール式空気圧縮機１は、遠心ファン３０の直接の冷却風吸入口となる吸入口４７Ａを案内ダクト４３とファンカバー４５により完全に取り囲む構成を有する。これにより、遠心ファン３０の騒音が吸入口４７Ａを介して外部に漏れるのを抑えることができる。即ち、従来技術による他のスクロール式流体機械は、ケーシングの他端側外周囲が外部に露出しており、この露出したケーシングの他端側外周囲から遠心ファンにより外部の空気を吸入する。このような従来技術による他のスクロール式流体機械の場合、空気の吸入口がケーシングの他端側外周囲において外部に開口しているため、遠心ファンの風切音などの騒音が前記吸込口を介して外部に漏れる。しかしながら、第１の実施形態によるスクロール式空気圧縮機１では、ケーシング２の他端側外周囲に位置する吸入口４７Ａが案内ダクト４３およびファンカバー４５により完全に取り囲まれているので、遠心ファン３０の風切音などの騒音が吸込口４７Ａを介して外部に漏れるのを軽減することができる。
【００６７】
また、第１の実施形態によるスクロール式空気圧縮機１によれば、ケーシング２、固定スクロール９および旋回スクロール１７を金属製とすることによりスクロール式空気圧縮機１の強度を高めることができると共に、冷却ダクト４０（少なくとも案内ダクト４３）およびファンカバー４５を樹脂製とすることによりスクロール式空気圧縮機１を軽量化することができる。
【００６８】
なお、上述した第１の実施形態によるスクロール式空気圧縮機１では、側面ダクト４１、案内ダクト４３およびファンカバー４５をそれぞれ樹脂材料により形成する場合を例に挙げたが、本発明はこれに限らず、側面ダクト４１、案内ダクト４３およびファンカバー４５のいずれか、または全部を例えばアルミニウムなどの金属材料により形成してもよい。
【００６９】
また、上述したスクロール式空気圧縮機１では、取付板部４７に形成された１２個のボルト挿通穴４９のうちから３個のボルト挿通穴４９を任意に選択し、これら選択したボルト挿通穴４９を介してボルト４４を締着し、これにより、ファンカバー４５の取付角度を変更して排出ポート４６の向きを変更する構成としたが、本発明はこれに限らない。例えば、取付板部４７の吸入口４７Ａの周囲に、周方向に延びる長穴を例えば９０度おきに４個形成してもよい。このような構成によれば、排出ポート４６の向きの微調整が可能になり、向きの設定の自由度を高めることができる。
【００７０】
［第２実施形態］
次に、本発明の第２の実施形態を図９および図１０を参照して説明する。なお、図９および図１０に示す第２の実施形態において、上述した図１ないし図８に示す第１の実施形態と同一の構成要素には同一の符号を付し、その説明を省略する。
【００７１】
図９において、６１は本発明の第２の実施形態によるスクロール式空気圧縮機である。６２はケーシング２の大径筒部３の一側面に設けられた側面ダクト４１と連通し、ケーシング２の他端側外周囲（軸受筒部４）を取り囲む樹脂製の案内ダクトである。該案内ダクト６２は、上述した第１の実施形態による案内ダクト４３と同様に、筒状に形成され、ケーシング２の軸受筒部４の全周囲を取り囲んでいる。また、案内ダクト６２の左右方向他側に位置する部位が周壁部６２Ａとなり、案内ダクト６２の軸方向他端側には底部６２Ｂが形成され、該底部６２Ｂの内周側が開口部６２Ｃとなっている。さらに、該開口部６２Ｃの縁には案内部６２Ｄが形成されている。なお、図９は本発明の要部である案内ダクト６２およびファンカバー６３のみを便宜的に分解して示した図であり、実際に組み付けた状態では、遠心ファン３０は、後述の取付板部６５とカバー部６６との間に配置される。
【００７２】
また、案内ダクト６２の底部６２Ｂには、図９に示すように、例えば３個のボルト挿通穴６２Ｅ，６２Ｅ，…が形成されている。これらボルト挿通穴６２Ｅは、図１０に示すように、直径寸法Ｄ１を有する円Ｃ１の円周上に互いに離間して配置されている。また、各ボルト挿通穴６２Ｅの位置は、ケーシング２に設けられたダクト固定部８の先端部に形成されたねじ穴８Ａの位置と対応する。そして、案内ダクト６２をケーシング２に取り付けるときには、図９に示すように、ボルト挿通穴６２Ｅを介してボルト４４をダクト固定部８のねじ穴８Ａに締着することにより、ケーシング２に案内ダクト６２を固定する。
【００７３】
さらに、案内ダクト６２の底部６２Ｂには、図９に示すように、例えば３個のねじ穴６２Ｆ，６２Ｆ，…が形成されている。これらねじ穴６２Ｆは、図１０に示すように、円Ｃ１よりも大きな直径寸法Ｄ２を有する円Ｃ２の円周上に等間隔に例えば１２０度おきに配置されている。
【００７４】
また、図９において、６３は遠心ファン３０を取り囲み、内周部に案内ダクト６２の他端が接続され、外周部に遠心ファン３０からの冷却風を排出する排出ポート６４を有する樹脂製のファンカバーで、ファンカバー６３は、それぞれ有底略筒状に形成された取付板部６５とカバー部６６とを、両者の開口部を互いに向かい合わせるようにして結合することにより中空円柱状の箱体として形成されている。そして、取付板部６５は、第１の実施形態による取付板部４７と同様に吸入口６５Ａを有し、カバー部６６は、第１の実施形態によるカバー部４８と同様に挿通穴６６Ａを有する。
【００７５】
さらに、取付板部６５には、図１０に示すように、例えば１２個のボルト挿通穴６７，６７，…が形成されている。これらボルト挿通穴６７は、吸入口６５Ａを取り囲むように周方向に等間隔に、例えば３０度おきに配置されている。そして、これらボルト挿通穴６７は、直径寸法Ｄ２を有する円Ｃ２の円周上に配置されている。また、１２個のボルト挿通穴６７のうち、１２０度おきに配置された３個のボルト挿通穴６７は、案内ダクト６２の底部６２Ｂに形成された３個のねじ穴６２Ｆとそれぞれ対応する。
【００７６】
ここで、ファンカバー６３の取付板部６５を案内ダクト６２に取り付けるときには、１２個のボルト挿通穴６７のうち１２０度おきに配置された３個のボルト挿通穴６７を任意に選択し、これら選択したボルト挿通穴６７を介してボルト５０，５０，…を案内ダクト６２のねじ穴６２Ｆに締着することにより、取付板部６５を案内ダクト６２に固定する。１２個のボルト挿通穴６７のうち１２０度おきに配置された３個のボルト挿通穴６７をどのように選択するかにより、ファンカバー６３の案内ダクト６２に対する取付角度を３０度ごとに変更することが可能であり、これにより、排出ポート６４の向きを３０度ごとに変更することができる。
【００７７】
このような構成を有する本発明の第２の実施形態によるスクロール式空気圧縮機６１によれば、上述した第１の実施形態によるスクロール式空気圧縮機１とほぼ同様の作用効果を得ることができる。
【００７８】
さらに、第２の実施形態によるスクロール式空気圧縮機６１は、案内ダクト６２をケーシング２に固定するためのボルト４４を締着するねじ穴８Ａおよびボルト挿通穴６２Ｅを円Ｃ１の円周上に配置し、一方、ファンカバー６３の取付板部６５を案内ダクト６２に固定するためのボルト５０を締着するねじ穴６２Ｆおよびボルト挿通穴６７を、円Ｃ１と直径寸法が異なる円Ｃ２の円周上に配置する構成を有する。これにより、ファンカバー６３の取付板部６５の案内ダクト６２に対する誤取付を防止することができる。
【００７９】
即ち、円Ｃ１の円周上に配置された３個のボルト挿通穴６２Ｅの位置と、円Ｃ２の円周上に１２０度おきに配置されたいずれか３個のボルト挿通穴６７の位置とが一致することがないので、ファンカバー６３の取付板部６５を案内ダクト６２に取り付けるときに、ボルト５０をボルト挿通穴６７を介してねじ穴６２Ｆに締着すべきところ、誤ってボルト挿通穴６２Ｅを挿入してしまったり、あるいは誤ってねじ穴８Ａに締着してしまうことを防止することができる。
【００８０】
［第３実施形態］
次に、本発明の第３の実施形態を図１１を参照して説明する。なお、図１１に示す第３の実施形態において、上述した図１ないし図８に示す第１の実施形態と同一の構成要素には同一の符号を付し、その説明を省略する。
【００８１】
図１１において、７１は本発明の第３の実施形態によるスクロール式空気圧縮機である。７２は樹脂製のダクトユニットであり、該ダクトユニット７２は、側面ダクト４１と連通し、ケーシング２他端側の軸受筒部４の外周囲を取り囲む案内ダクト７３と、遠心ファン３０を取り囲み、内周部に案内ダクト７３の他端が接続され、外周部に遠心ファン３０からの冷却風を排出する排出ポート７５を有するファンカバー７４とが一体化されたものである。即ち、案内ダクト７３およびファンカバー７４はそれぞれ第１の実施形態における案内ダクト４３およびファンカバー４５とほぼ同様な構成を有するものの、案内ダクト７３の軸方向他側にはファンカバー７４の取付板部７６が接着剤などにより予め固着されている。なお、ファンカバー７４のカバー部７７は、第１の実施形態によるカバー部４８と同じである。
【００８２】
このような構成を有する本発明の第３の実施形態によるスクロール式空気圧縮機７１によっても、上述した本発明の第１の実施形態によるスクロール式空気圧縮機１とほぼ同様の作用効果を得ることができる。
【００８３】
さらに、第３の実施形態によるスクロール式空気圧縮機７１によれば、案内ダクト７３とファンカバー７４の取付板部７６とを一体化したことにより、スクロール式空気圧縮機７１の部品点数または製造コストを削減することができる。
【００８４】
なお、上述したダクトユニット７２を、案内ダクト７３と取付板部７６とが一体化した単一の樹脂成形部品として形成してもよい。
【００８５】
［第４実施形態］
次に、本発明の第４の実施形態を図１２を参照して説明する。なお、図１２に示す第４の実施形態において、上述した図１ないし図８に示す第１の実施形態と同一の構成要素には同一の符号を付し、その説明を省略する。
【００８６】
図１２において、８１は本発明の第４の実施形態によるスクロール式空気圧縮機である。８２は側面ダクト４１と連通し、ケーシング２他端側の軸受筒部４の外周囲を取り囲む樹脂製の案内ダクトで、該案内ダクト８２は、ケーシング２の他端側においてケーシング２の一部周囲に設けられている。即ち、案内ダクト８２は、ケーシング２の軸受筒部４の左右方向他側を、空間を介して取り囲んでいる。
【００８７】
このような構成を有する本発明の第４の実施形態によるスクロール式空気圧縮機８１によっても、上述した本発明の第１の実施形態によるスクロール式空気圧縮機１とほぼ同様の作用効果を得ることができる。さらに、案内ダクト８２を、ケーシング２の一部周囲に設けたことにより、スクロール式空気圧縮機８１の小型化または軽量化を図ることができる。
【００８８】
［第５実施形態］
次に、本発明の第５の実施形態を図１３を参照して説明する。なお、図１３に示す第５の実施形態において、上述した図１ないし図８に示す第１の実施形態と同一の構成要素には同一の符号を付し、その説明を省略する。
【００８９】
図１３において、９１は本発明の第５の実施形態によるスクロール式空気圧縮機であり、該スクロール式空気圧縮機９１は、上述した本発明の第１の実施形態によるスクロール式空気圧縮機１に流入ダクト９２を取り付けたものである。
【００９０】
即ち、９２は固定流入口３３と旋回流入口３７との双方に接続された流入ダクトであり、該流入ダクト９２は固定スクロール９と旋回スクロール１７との双方を冷却することができる共通のダクトである。
【００９１】
ここで、流入ダクト９２の一端側がダクト流入口９２Ａとなり、他端側がダクト流出口９２Ｂとなり、ダクト流入口９２Ａとダクト流出口９２Ｂとの間には非直線状、具体的には迷路状（ラビリンス状）の流路９２Ｃが形成されている。即ち、流路９２Ｃは、外部からダクト流入口９２Ａを覗き込んでもダクト流出口９２Ｂに配置された固定流入口３３および旋回流出口３７が見えないように曲がっている。具体的には、流路９２Ｃは、ダクト流入口９２Ａ寄りの位置Ｐ１で１８０度曲がり、ダクト流出口９２Ｂ寄りの位置Ｐ２でさらに１８０度曲がっている。また、流入ダクト９２の内面には吸音材９３が張り付けられている。
【００９２】
９４は固定流入口３３と旋回流入口３７との間に配置されたバッフル板で、該バッフル板９４は、固定流入口３３に流入する冷却風量と、旋回流入口３７に流入する冷却風量との比率を調整するものである。例えば、図１３に示すように、バッフル板９４の先端をスクロール式空気圧縮機９１の軸方向他側に向けて傾けることにより、固定流入口３３に流入する冷却風量を増やし、旋回流入口３７に流入する冷却風量を減らすことができる。バッフル板９４は例えば樹脂材料からなる薄板であり、ダクト流出口９２Ｂ近傍位置における流入ダクト９２の上壁内面および下壁内面に取り付けられている。
【００９３】
このような構成を有する本発明の第５の実施形態によるスクロール式空気圧縮機９１において、モータを駆動し、遠心ファン３０を回転させることにより、流入ダクト９２のダクト流入口９２Ａから外気が吸入される。そして、この外気は流入ダクト９２の流路９２Ｃを流れ、ダクト流出口９２Ｂからスクロール式空気圧縮機９１の固定流入口３３および旋回流入口３７に流入し、固定スクロール９および旋回スクロール１７等を冷却する冷却風となる。
【００９４】
このような本発明の第５の実施形態によるスクロール式空気圧縮機９１によれば、流入ダクト９２の非直線状（具体的には迷路状ないしラビリンス状）の流路９２Ｃにより、スクロール式空気圧縮機９１の駆動時において外気を吸入して冷却風を作り出す際に発生する騒音を低減することができる。さらに、この騒音を、流入ダクト９２の内面に張り付けた吸音材９３により一層低減することができる。
【００９５】
また、固定流入口３３と旋回流入口３７との間にバッフル板９４を配置することにより、固定流入口３３に流入する冷却風量と旋回流入口３７に流入する冷却風量との比率を調整することができる。これにより、固定スクロール９と旋回スクロール１７との間で冷却効果の偏りを軽減したり、固定スクロール９と旋回スクロール１７とのうちのいずれか一方の冷却効果を積極的に高めたりするなど、スクロール式空気圧縮機９１の動作環境や動作態様などに応じた適切な冷却効果を実現することが可能になる。
【００９６】
なお、上述した第５の実施形態では、流入ダクト９２の流路９２Ｃを２箇所で１８０度曲がる迷路状としたが、流路９２Ｃが曲がる角度の大きさや、曲がる位置や曲がる箇所の個数は限定されない。９０度曲がる箇所を設けてもよいし、曲がる箇所を１箇所または３箇所以上としてもよい。
【００９７】
［第６実施形態］
次に、本発明の第６の実施形態を図１４を参照して説明する。なお、図１４に示す第６の実施形態において、上述した図１ないし図８に示す第１の実施形態と同一の構成要素には同一の符号を付し、その説明を省略する。
【００９８】
図１４において、１０１は本発明の第６の実施形態によるスクロール式空気圧縮機である。１０２は遠心ファン３０（図２参照）を取り囲み、内周部に案内ダクト４３の他端が接続され、外周部に遠心ファン３０からの冷却風を排出する排出ポート１０３を有するファンカバーである。該ファンカバー１０２は、上述した第１の実施形態によるファンカバー４５とほぼ同様な構成を有するものの、排出ポート１０３の周縁にはフランジ１０４が設けられている。そして、フランジ１０４には、ボルト挿通穴１０４Ａ，１０４Ａ，…が形成されている。
【００９９】
そして、例えば防音構造とするためのパッケージ内にスクロール式空気圧縮機１０１を設置する場合には、当該パッケージに設けられた排出用ダクトと、スクロール式空気圧縮機１０１の排出ポート１０３とを、フランジ１０４を介して接続する。具体的には、フランジ１０４に形成されたボルト挿通穴１０４Ａを介して、パッケージの排出用ダクト近傍に形成されたねじ穴にボルトを締着することにより、排出ポート１０３を排出用ダクトに固定する。
【０１００】
このような構成を有するスクロール式空気圧縮機１０１によれば、排出ポート１０３を、パッケージの排出用ダクトに容易にかつ確実に固定することができる。
【０１０１】
なお、前記各実施形態では、スクロール式流体機械として無給油式のスクロール式空気圧縮機を例にあげたが、本発明はこれに限らず、真空ポンプ、膨張機などの他のスクロール式流体機械にも適用することができる。
【符号の説明】
【０１０２】
１，６１，７１，８１，９１，１０１  スクロール式空気圧縮機（スクロール式流体機械）
２  ケーシング
３Ａ，４Ａ  開口部
９  固定スクロール
９Ｂ  固定側ラップ
１５  固定側冷却フィン
１６  冷却フィンカバー
１７  旋回スクロール
１７Ｂ  旋回側ラップ
１９  旋回側冷却フィン
２３  圧縮室
２４  回転軸
３０  遠心ファン
３２  固定側冷却通路
３３  固定流入口
３４  固定流出口
３６  旋回側冷却通路
３７  旋回流入口
３８  旋回流出口
４０  冷却ダクト（冷却風通路）
４１  側面ダクト
４３，６２，７３，８２  案内ダクト（樹脂製ダクト）
４５，６３，７４，１０２  ファンカバー
４６，６４，７５，１０３  排出ポート
９２  流入ダクト
【図１】
2010203289.tif 000003
【図２】
2010203289.tif 000004
【図３】
2010203289.tif 000005
【図４】
2010203289.tif 000006
【図５】
2010203289.tif 000007
【図６】
2010203289.tif 000008
【図７】
2010203289.tif 000009
【図８】
2010203289.tif 000010
【図９】
2010203289.tif 000011
【図１０】
2010203289.tif 000012
【図１１】
2010203289.tif 000013
【図１２】
2010203289.tif 000014
【図１３】
2010203289.tif 000015
【図１４】
2010203289.tif 000016